(57)【特許請求の範囲】
【請求項１】
建築構造物が軒棟方向と直交する方向の複数箇所に断面逆Ｕ字状の山部が隔設された屋根パネルであり、該屋根パネルに打入されるボルトを保持するボルト保持用治具であって、一対のボルト挟持片にボルトを垂直姿勢で保持するための挟持部を設け、一対のボルト挟持片の上面に両ボルト挟持片を閉じる方向に付勢するためのバネ部材を配設し、一対のボルト挟持片の後端部に両ボルト挟持片を開かせる操作部を固定すると共に、屋根パネルの山部のボルト打入部にボルトの先端を対向させるようにして上記一対のボルト挟持片にてボルトを挟んで保持した状態で屋根パネルの山部と山部との間の平坦な谷部の上面に載置可能とされ且つ該山部の斜面に沿った形状に形成されている当接片を取り付けて成ることを特徴とするボルト保持用治具。
【発明の詳細な説明】
【０００１】
【発明の属する技術分野】
この発明は、建築構造物に打入されるボルトを保持するボルト保持用治具に関するものである。
【０００２】
【従来の技術】
従来より、表面の金属板と裏面の金属板との間に断熱材が充填された断熱パネルを屋根材として用いることが行われている。
また、隣接する断熱パネル２，２同士を接続するにあたっては、図７に示すように、断熱パネル２の接続部にボルト３を打入して、屋根下地１６に固定するようにしているが、屋根上面にボルト３の頭部が露出して接続箇所の外観が損なわれるという問題や、接続箇所から雨水が浸入して腐食が発生するなどの問題がある。
【０００３】
かかる問題を解決するために、従来では、図８に示すように、隣接する一方の屋根パネル２の接続片１７と、他方の屋根パネル２の被接続片１８との間をパッキン材２１で閉塞すると共に、接続片１７の上から屋根下地１６にボルト３を打入し、その後、接続片１７の上面から被接続片１８の上面に亘って断面略逆Ｕ字状のキャップ１９を被せて、キャップ１９の両端部を固定金具２０に係止させることにより、ボルト３を隠すと共に防水性を確保するようにしている。
【０００４】
【発明が解決しようとする課題】
ところが、図７、図８に示す従来例では、いずれも、片方の手でボルト３を垂直に立てて、もう片方の手に電動ドライバー等を持ってボルト３を打入するようにしているため、ボルト３を持つ手が動いてボルト３の打入角度が一定に定まりにくく、また、ボルト３に傾きが生じて、ボルト３を正確な角度で打入するのが困難となり、図８の仮想線イ、或いはロで示す方向、或いは図９のハで示す方向にボルト３が傾いて屋根下地１６を外してしまう恐れがあり、このため屋根パネル２の固定作業には熟練が要求されていた。しかも、屋根下地１６を外してボルト３を斜め打ちしてしまった場合は、一旦ボルト３を引き抜いて再び打入し直す必要が生じるため、打入作業に多大な手間と時間がかかるという問題があり、またこのように打入作業を何回もやり直すと、屋根パネル２の表面に傷がつき、外観が損なわれたり、雨漏れの原因になるという問題もある。
【０００５】
本発明は、上記従来例に鑑みてなされたもので、熟練者でなくてもボルトを傾けずに正確な角度で容易に打入することができ、作業効率を向上させることができると共に、打ち損じによる建築構造物の傷付き等を防止できるボルト保持用治具を提供することを目的とし、さらに、屋根パネルの山部を利用してボルトの打入角度を容易に位置決めすることができ、使い勝手が一層良好なボルト保持用治具を提供することを目的とする。
【０００６】
【課題を解決するための手段】
上記課題を解決するために、本発明は、建築構造物１が軒棟方向と直交する方向Ｂの複数箇所に断面略逆Ｕ字状の山部１０が隔設された屋根パネル２であり、該屋根パネル２に打入されるボルト３を保持するボルト保持用治具であって、一対のボルト挟持片７にボルト３を垂直姿勢で保持するための挟持部３０を設け、一対のボルト挟持片７の上面に両ボルト挟持片７を閉じる方向に付勢するためのバネ部材８を配設し、一対のボルト挟持片７の後端部に両ボルト挟持片７を開かせる操作部９を固定すると共に、屋根パネル２の山部１０のボルト打入部６にボルト３の先端を対向させるようにして上記一対のボルト挟持片７にてボルト３を挟んで保持した状態で屋根パネル２の山部１０と山部１０との間の平坦な谷部１２の上面に載置可能とされ且つ該山部１０の斜面１１に沿った形状に形成されている当接片５を取り付けて成ることを特徴としており、このように構成することで、屋根パネル２にボルト３を打入する際に、当接片５を屋根パネル２の表面に当接させ、一対のボルト挟持片７でボルト３を保持してボルト３の先端部３ａをボルト打入部６に対向させることによって、ボルト３の打入角度が一定に定まり、ボルト３を従来のように手で持たずに保持でき、打入作業が容易になると共に、一対の操作部９によりボルト挟持片７の開き操作ができるので、ボルト３を屋根パネル２に途中まで打入した段階で、ボルト保持用治具４をボルト３から容易に取外すことができ、その後ボルト３を傾けずに最後まで正確な角度で打入できるようになる。また、上記当接片５は屋根パネル２の山部１０の斜面１１に沿った形状に形成されているので、屋根パネル２の山部１０を利用してボルト３を屋根パネル２のボルト打入部６に対して容易に位置決め可能となる。
【０００８】
【発明の実施の形態】
以下、本発明の実施形態の一例を説明する。本実施形態では、建築構造物１は、図１に示すように、表面の金属板１３と裏面の金属板１４との間に硬質ポリウレタンフォーム等のような断熱材１５が充填された屋根パネル２から成り、この屋根パネル２の軒棟方向と直交する方向（以下、巾方向という）Ｂの複数箇所には軒棟方向（図１の紙面に対して垂直方向）の全長に亘って山部１０が隔設されており、山部１０と山部１０の間は平坦な谷部１２となっている。本実施形態では、屋根パネル２の山部１０から屋根下地１６にボルト３を打入することによって屋根パネル２が屋根下地１６に固定されている。尚、ボルト３の打入位置は図１の実施形態に限定されるものではなく、例えば図８に示す屋根パネル２の一端部の接続片１７にボルト３を打入する場合も含まれるものである。
【０００９】
上記ボルト３は、打入開始時においてボルト保持用治具４にて保持される。ボルト保持用治具４は、例えば金属製であり、図３〜図５に示すように、屋根パネル２の表面に当接させる当接片５と、屋根パネル２のボルト打入部６にボルト３の先端部３ａを対向させるようにしてボルト３を挟んで保持する一対のボルト挟持片７と、両ボルト挟持片７を閉じる方向Ａに付勢するバネ部材８と、両ボルト挟持片７を開かせる操作部９とが一体に構成されている。なお、ボルト保持用治具４は必ずしも金属製である必要はなく、例えばプラスチック製或いは木製であってもよいものである。
【００１０】
ボルト保持用治具４の当接片５は、図３に示すように、平面から見て略十字状に形成されており、図１に示す屋根パネル２の山部１０と山部１０との間の平坦な谷部１２の上面に安定して載置できるようになっている。また当接片５は山部１０の斜面１１に沿った形状となるように、図５に示すように、側面から見て略Ｕ字状に形成されている。本実施形態では、当接片５の後端部には山部１０の斜面１１（図１）に沿うように斜め上方に立ち上がる傾斜部２５が突設されている。当接片５の前端部には、屋根パネル２の山部１０よりも高い位置に立ち上がる立ち上がり部２６とこの立ち上がり部２６の上端部から後方に向けて水平に折り曲げられた水平部２７とが一体に連設されており、この水平部２７上に一対のボルト挟持片７が回動自在に支持されている。
【００１１】
一対のボルト挟持片７は、ボルト３を垂直姿勢で保持するためのものであり、図６に示すように、水平部２７の軸孔２８′に取付けられる軸受け部２８（図３〜図５）を挟んで左右対称に配置されている。
両ボルト挟持片７は、軸受け部２８により垂直軸回りに回動自在に固定される回動板２９と、回動板２９の前端部に一体に取付けられて、立ち上がり部２６よりも前方に突出した平面視半円筒状の挟持部３０とでそれぞれ構成されており、両挟持部３０の内面には上下方向に貫通した平面視略半円状の凹部３１がそれぞれ形成されている。この凹部３１の上半分は上方に向けて喇叭状に開口し、凹部３１の下半分は半直円筒状をした滑らかな円弧面で形成されている。そして、対向する一対の挟持部３０の凹部３１同士を突き合わせることで、ボルト保持用孔３２（図４）が形成され、このボルト保持用孔３２内にボルト３を挿入することによって、ボルト３を上下移動自在な状態で保持できるようになっている。つまり、凹部３１はボルト３を正確な打入角度に保持する機能に加えて、ボルト３を正確な角度にガイドする機能も併せ持っている。なお、一対のボルト挟持片７は両開き構造に限らず、例えば片方のボルト挟持片７を水平部２７に固定し、他方のボルト挟持片７のみを回動自在とする片開き構造であってもよいものである。
【００１２】
一対のボルト挟持片７の両方の回動板２９の上面には、両ボルト挟持片７を閉じる方向Ａに付勢するためのバネ部材８が配設されている。図３〜図５に示す実施形態では、両方の回動板２９上の軸受け部２８と挟持部３０との略中間位置には２個１組、計２組のバネ受け用ネジ３３が固定されており、各バネ受け用ネジ３３，３３間に架け渡される引張りコイルバネから成るバネ部材８によって両方の回動板２９が閉じる方向Ａに常に付勢されている。なお、バネ部材８の数は特に限定されるものではない。
【００１３】
上記両方の回動板２９の後端部には、それぞれ、取手部を兼ねる操作部９が固定されている。操作部９は、両ボルト挟持片７を開かせるためのものであり、図５に示すように、各操作部９の前端部から下方に連結部３４が突設され、連結部３４の下端部にＬ字状の固定部３５が突設され、この固定部３５がネジ３６で回動板２９の後端部の上面に固定されている。連結部３４によって操作部９を回動板２９よりも高い位置に配置でき、操作部９の下方のスペース４０に作業者が足を入れて、当接片５を足で動かないように固定できるようにしてある。
【００１４】
しかして、屋根パネル２の山部１０からボルト３を打入するにあたっては、先ず、図１に示すように、ボルト３を打入すべき山部１０とこれに隣接する別の山部１０との間の谷部１２の上面にボルト保持用治具４の当接片５を載置して、当接片５の傾斜部２５を隣接する別の山部１０の斜面１１に沿わせると共に、当接片５の前端部をボルト３を打入すべき山部１０の斜面１１の裾部に沿わせる。これにより、ボルト保持用治具４を屋根パネル２の山部１０と山部１０との間で動かないように配置できると同時に、一対のボルト挟持片７をボルト３を打入すべき山部１０のボルト打入部６に対向させて垂直に配置できるようになる。つまり、一対の操作部９を手で握って一対のボルト挟持片７をバネ部材８のバネ力に抗して開き（図３の状態）、凹部３１，３１間にボルト３を挟むと挟持部３０，３０がバネ部材８のバネ力で閉じて図４の状態となり、ボルト３を垂直姿勢で保持できるようになる。これにより、図１に示すように、ボルト３の先端部３ａが屋根パネル２のボルト打入部６に対向して配置されて、ボルト３の打入角度が一定に定まる。この状態で電動ドライバー等を用いてボルト３を上方から打入すると、両ボルト挟持片７の凹部３１内をボルト３が滑りながら、正確な角度で打入されていく。このとき、操作部９の下方のスペース４０内に作業者が足を入れて当接片５を上から押し付けることによって、ボルト保持用治具４を足で動かないように固定でき、従って、両手があき、ボルト３の打入作業が容易となる。またこのとき、両ボルト挟持片７はバネ部材８のバネ力で閉じる方向Ａに付勢されているので、ボルト３が傾くことがなく正確な打入角度を保持でき、しかもボルト３を挟む凹部３１は滑らかな円弧面となっているので、ボルト３のネジ部３ｂが凹部３１に引っ掛かることなく下降できるようになり、従って、一対のボルト挟持片７でボルト３を挟んで保持する構造でありながら、ボルト３をスムーズに打入できるようになる。そして図２（ａ）のようにボルト３の頭部３ｃが挟持部３０に接近したとき、つまりボルト３が途中まで打入されたときに、ボルト挟持片７を開いてボルト保持用治具４をボルト３から取外し、図２（ｂ）の状態で、ボルト３を最後まで打入すればよい。このようなボルト３の打入作業を複数箇所で行うことによって、屋根パネル２を屋根下地１６に確実に固定できるようになる。
【００１５】
このようにボルト保持用治具４を用いてボルト３を保持することによって、打入開始時に、従来のように手でボルト３を持つ必要がないので、素人でも安全に作業ができ、たとえ屋根パネル２の山部１０の表面が金属板１３で構成され、ボルト３の先端部３ａが金属板１３の表面で滑り易い場合であっても、ボルト３を傾けることなく正確な角度で打入できるようになる。従って、屋根パネル２の固定作業に熟練が要求されることがなくなり、そのうえ従来のような斜め打ちによる打ち損じがなくなるので、作業効率が一層向上すると共に、ボルト３の打ち直しによる屋根パネル２の傷付きを防止できるので、外観を良好に保つことができる上に、雨漏りの心配もなくなる。
【００１６】
さらに、当接片５を平面から見て略十字状に形成してあるので、当接片５を山部１０と山部１０との間の平坦な谷部１２に安定して載置できると共に、当接片５の軽量化及び材料の使用量の削減を図ることができる。なお、当接片５の平面形状は特に限定されるものではなく、例えば当接片５の中央部に開口部を設けて軽量化等を図るようにしてもよい。また、当接片５を屋根パネル２の山部１０の斜面１１に沿った形状に形成したことにより、屋根パネル２の山部１０を利用して当接片５を屋根パネル２の上面に位置決めすることができ、従って、屋根パネル２のボルト打入部６に対するボルト３の位置合わせが不要となり、そのうえ山部１０を利用してボルト保持用治具４の動きを確実に止めることができるので、特に電動ドライバーでボルト３を打入する際にボルト３の振動発生を防止でき、打入作業を一層容易に行うことができる。
【００１７】
なお、山部１０と山部１０の間の幅は屋根パネル２によって異なる場合があり、これを考慮して当接片５を伸縮自在な構造とするのが望ましい。例えば当接片５を前後２枚の板材に分割し、２枚の板材を前後方向にスライド自在となるように連結することによって、山部１０と山部１０の間の幅に合わせて当接片５を伸縮させることが可能となり、どの種類の屋根パネル２にも対応可能となる。
【００１９】
【発明の効果】
以上説明したように、本発明は、建築構造物が軒棟方向と直交する方向の複数箇所に断面逆Ｕ字状の山部が隔設された屋根パネルであり、該屋根パネルに打入されるボルトを保持するボルト保持用治具であって、一対のボルト挟持片にボルトを垂直姿勢で保持するための挟持部を設け、一対のボルト挟持片の上面に両ボルト挟持片を閉じる方向に付勢するためのバネ部材を配設し、一対のボルト挟持片の後端部に両ボルト挟持片を開かせる操作部を固定すると共に、屋根パネルの山部のボルト打入部にボルトの先端を対向させるようにして上記一対のボルト挟持片にてボルトを挟んで保持した状態で屋根パネルの山部と山部との間の平坦な谷部の上面に載置可能とされ且つ該山部の斜面に沿った形状に形成されている当接片を取り付けて成るから、屋根パネルにボルトを打入する際に、当接片を屋根パネルの表面に当接させ、一対のボルト挟持片でボルトを保持してボルトの先端をボルト打入部に対向させることによって、ボルトの打入角度が一定に定まり、ボルトを従来のように手で持たずに正確な角度で保持でき、打入作業が容易になると共に、一対の操作部によりボルト挟持片の開き操作ができるので、ボルトを屋根パネルに途中まで打入した段階で、ボルト保持用治具をボルトから取外すことにより、その後ボルトを傾けずに最後まで正確な角度で打入できるようになる。この結果、屋根パネルの固定作業に熟練が必要でなくなり、素人でも安全に作業ができ、さらに従来のような斜め打ちによる打ち損じがなくなるので、作業効率が向上すると共に、ボルトの打ち直しによる屋根パネルの傷付きを防止できるので、外観を良好に保つことができる上に、屋根パネルの雨漏りの心配をなくすことができる。また、当接片が該屋根パネルの山部の斜面に沿った形状に形成されているから、屋根パネルの山部を利用してボルトを正確な位置に保持して打入できるようになり、従って、屋根パネルのボルト打入部に対するボルトの位置決めがきわめて容易となり、使い勝手が向上する。
【図面の簡単な説明】
【図１】本発明の実施形態の一例を示す断面図である。ある。
【図２】（ａ）は同上のボルト保持用治具を用いてボルトを打入する場合の説明図、（ｂ）はボルト保持用治具を取外した状態の説明図である。
【図３】同上の一対のボルト挟持片を開いた状態の平面図である。
【図４】同上の一対のボルト挟持片を閉じた状態の平面図である。
【図５】同上のボルト保持用治具の側面図である。
【図６】同上の一対のボルト挟持片の分解斜視図である。
【図７】従来例の説明図である。
【図８】従来の屋根パネルの接続片を屋根下地にボルトで固定する場合を説明する断面図である。
【図９】従来のボルトの打ち損じを説明する断面図である。
【符号の説明】
１  建築構造物
２  屋根パネル
３  ボルト
３ａ  先端部
４  ボルト保持用治具
５  当接片
６  ボルト打入部
７  ボルト挟持片
８  バネ部材
９  操作部
１０  山部
１１  斜面
【図１】
0003557091.tif 000002
【図２】
0003557091.tif 000003
【図３】
0003557091.tif 000004
【図４】
0003557091.tif 000005
【図５】
0003557091.tif 000006
【図６】
0003557091.tif 000007
【図７】
0003557091.tif 000008
【図８】
0003557091.tif 000009
【図９】
0003557091.tif 000010